(57)【要約】【課題】  タッチパネルを有する情報機器、特にスマートフォンと一緒に常時持ち歩いても邪魔にならないタッチパネル入力補助具を提供する。【解決手段】  タッチパネルへの入力を補助するタッチパネル入力補助具であって、このタッチパネル入力補助具は、指に装着できる支持部と、この支持部から柄部を介して延在する接触部から構成され、この支持部は平板状で弾力のある指示板と、この指示板の一方の側部から他方の側部に渡って掛け渡された弾力性と可撓性のある支持帯とで構成され、この支持部から接触部に渡って導電可能であることを特徴とするタッチパネル入力補助具である。非使用時は平坦な形状になるので、スマートフォンケースにコンパクトに収まる。【選択図】図１
2020004305.tif 000002
【特許請求の範囲】
【請求項１】
タッチパネルへの入力を補助するタッチパネル入力補助具であって、このタッチパネル入力補助具は、指に装着できる支持部と、この支持部から柄部を介して延在する接触部から構成され、この支持部は平板状で弾力のある指示板と、この指示板の一方の側部から他方の側部に渡って掛け渡された弾力性と可撓性のある支持帯とで構成され、この支持部から接触部に渡って導電可能であることを特徴とするタッチパネル入力補助具。
【請求項２】
請求項１のタッチパネル入力補助具の支持板の内面に導電板を設け、柄部と導電可能にしたことを特徴とするタッチパネル入力補助具。
【発明の詳細な説明】
【技術分野】
【０００１】
この発明は、タッチパネルにタッチして情報を入力する際に使用するタッチパネル入力補助具に関する。
【背景技術】
【０００２】
従来、情報機器に情報を入力する際パネルに指を触れることにより入力するタッチパネルがあった。このタッチパネルは、特にスマートフォン等、画面が小さい場合は指の大きさに比べ、タッチする面積が非常に小さく、誤入力することが多かった。そして、長爪にしている場合は、入力がさらに困難であった。
この為、特許文献１、特許文献２のような技術が開示されていた。これらの技術は、指先に装着する指嵌部とこれから突出する押圧部からなり、この押圧部をタッチパネルにタッチして入力するものである。
【先行技術文献】
【特許文献】
【０００３】
【特許文献１】特開平７−１０４９２５
【特許文献２】特開２００５−１４１７１０
【発明の概要】
【発明が解決しようとする課題】
【０００４】
しかしながら、これらの技術では指よりも大きい指嵌部とこれから突出する押圧部が嵩張り、スマートフォン等と一緒に持ち歩くには不便であった。特に衣服のポケットにスマートフォンを入れる際には、余分な突起があると、出し入れが不便であった。
【課題を解決するための手段】
【０００５】
タッチパネルへの入力を補助するタッチパネル入力補助具であって、このタッチパネル入力補助具は、指に装着できる支持部と、この支持部から柄部を介して延在する接触部から構成され、この支持部は平板状で弾力のある指示板と、この指示板の一方の側部から他方の側部に渡って掛け渡された弾力性と可撓性のある支持帯とで構成され、この支持部から接触部に渡って導電可能であることを特徴とするタッチパネル入力補助具。
【発明の効果】
【０００６】
上記の問題点を解決し、タッチパネルを有する情報機器、特にスマートフォンと一緒に常時持ち歩いても邪魔にならないタッチパネル入力補助具を提供する。
【図面の簡単な説明】
【０００７】
【図１】第一の実施例のタッチパネル入力補助具の斜視図である。
【図２】第一の実施例のタッチパネル入力補助具の正面図、平面図、底面図、左側面図、右側面図である。背面図は正面図と対称に表れる。
【図３】第一の実施例のタッチパネル入力補助具の使用状態を示す斜視図である。
【図４】第二の実施例のタッチパネル入力補助具の正面図、平面図、底面図、左側面図、右側面図である。背面図は正面図と対称に表れる。
【図５】第二の実施例のタッチパネル入力補助具の使用状態を示す正面図、平面図、底面図、左側面図、右側面図である。背面図は正面図と対称に表れる。
【図６】第三の実施例のタッチパネル入力補助具の正面図、平面図、底面図、左側面図、右側面図である。背面図は正面図と対称に表れる。
【図７】第四の実施例のタッチパネル入力補助具の使用状態を表わす斜視図である。
【図８】この発明のタッチパネル入力補助具の使用状態を示す斜視図である。
【発明を実施するための形態】
【０００８】
タッチパネルへの入力を補助するタッチパネル入力補助具であって、このタッチパネル入力補助具は、指に装着できる支持部と、この支持部から柄部を介して延在する接触部から構成され、この支持部は平板状で弾力のある指示板と、この指示板の一方の側部から他方の側部に渡って掛け渡された弾力性と可撓性のある支持帯とで構成され、この支持部から接触部に渡って導電可能であることを特徴とするタッチパネル入力補助具。
上記のタッチパネル入力補助具の支持板の内面に導電板を設け、柄部と導電可能にしたことを特徴とするタッチパネル入力補助具。
【実施例】
【０００９】
図１、図２、図３により、第一の実施例のタッチパネル入力補助具を説明する。タッチパネル入力補助具１０は、指に装着できる支持部２０と、この支持部２０から柄部４０を介して延在する接触部３０とから構成されている。
【００１０】
この支持部２０は平板状で弾力のある支持板２１と、この支持板２１の一方の側部２１Aから他方の側部２１Bに渡って掛け渡された弾力のある支持帯２２とで構成されている。指示板２１は金属又はプラスチックのように弾力のある材質で構成される。支持板２１が導電材でない場合は、表面を導電材で覆うとよい。支持帯２２は、平ゴム紐、平ゴムベルトのように弾力性と可撓性のある薄く平らな材料が用いられる。
【００１１】
柄部４０は、金属又は導電ゴムや導電プラスチックで構成される。接触部３０は、軟質の導電ゴムや導電繊維で構成される。このようにして、人体から支持部２０・柄部４０を介して接触部３０に渡って導電可能であり、タッチパネルの電極との間に電気的な容量結合が可能であることを特徴としている。
【００１２】
指に装着するにあたっては、支持部２０の側部２１A、２１Bを指で矢印B方向に押圧すると、支持板２１が湾曲すると同時に、支持帯２２が弛んで円筒状の空間ができるので、図３のように、これに指を通して装着する。これにより、支持板２１と支持帯２２の弾力性により異なった指の大きさに対応することができる。
【００１３】
図３のように、親指にタッチパネル入力補助具１０を装着すると、片手でスマートフォンを保持して、同じ手の指で入力をすることが可能になる。すなわち、片手だけでスマートフォンの保持と入力操作をすることができ、他方の手は自由になる利点がある。
【００１４】
図４は第二の実施例のタッチパネル入力補助具の自由状態を示し、接触部３０は、軟質の導電ゴムの円盤が用いられている。このようにすると、接触部３０とタッチパネルとの接触面積が増大して、接触部３０とタッチパネルとの容量結合を大きくすることができる。接触部３０は、円錐状・球状でもよい。
【００１５】
図５は第二の実施例のタッチパネル入力補助具１０の装着時の状態を示し、保持板２１の両側部を押圧することにより、保持板２１が湾曲し、同時に保持帯２２も反対方向に湾曲するので、指を容易に挿入することができる。
【００１６】
図６の第三の実施例では、保持板２１に取付孔２４を設けて柄部４０を通すことにより、保持板２１と柄部４０の結合を容易としている。保持板２１にはリンク孔２５も設けて、ストラップ等との結合も可能にしている。
【００１７】
図７は、第四の実施例のタッチパネル入力補助具１０であり、柄部４０から接触部３０にかけて弾力性を持たせて、接触部３０がスムーズにタッチパネルに添うようにしている。
【００１８】
図８は、タッチパネル入力補助具１０をスマートフォンケースに収納した状態を示し、余分な出っ張りがでないので、持ち歩きに便利である。特に、衣服のポケットや小型のバックのポケットに収納するときに、邪魔にならないので便利である。
【産業上の利用可能性】
【００１９】
この発明は、特にスマートフォンのタッチパネルに使用するタッチパネル入力補助具に利用が可能である。
【符号の説明】
【００２０】
１０はタッチパネル入力補助具
２０は支持部
２１は支持板
２１Aは側部
２１Bは側部
２２は支持帯
２３は導電板
２４は取付孔
２５はリンク孔
３０は接触部
４０は柄部
５０はタッチパネル
６０は手
【図１】
2020004305.tif 000003
【図２】
2020004305.tif 000004
【図３】
2020004305.tif 000005
【図４】
2020004305.tif 000006
【図５】
2020004305.tif 000007
【図６】
2020004305.tif 000008
【図７】
2020004305.tif 000009
【図８】
2020004305.tif 000010